(57)【要約】【課題】太陽電池付き電子腕時計において、外装ケースの側壁の開口に臨むように配置される太陽電池の外観品質面での印象を緩和させるとともに、構成部品点数の直接的な増加や製造コストの上昇を抑制する。【解決手段】中枠１２０の一部に、太陽電池１４０に光を透過させる材料で環状に形成されて、化粧リングの機能を兼ねた装飾中枠１２２を形成し、この装飾中枠１２２の突起１２２ｄ，１２２ｅ，１２２ｆ，１２２ｇを、ベース中枠１２１の底板１２１ｂに形成された嵌合孔１２１ｄ，１２ｅ，１２ｆ，１２１ｇに嵌合して結合させることにより、これらベース中枠１２１と装飾中枠１２２とは全体として単一の中枠１２０として構成する。【選択図】図１０
2012198029.tif 000002
【特許請求の範囲】
【請求項１】
ムーブメントを収容し、その周壁に、外光を導入する開口が形成された外装ケースと、前記外装ケースの内側における前記ムーブメントのがたつきを阻止する中枠と、前記外装ケースの内側に、前記開口に臨んで配置された、前記ムーブメントの動力源となる太陽電池とを備え、
前記中枠は、第１中枠と、装飾されているとともに前記太陽電池に光を透過させる材料で環状に形成された、前記第１中枠に結合した第２中枠とを有し、
前記太陽電池が、前記第２中枠の内側に配置されていることを特徴とする太陽電池付き電子腕時計。
【請求項２】
前記ムーブメントの上方に、前記外装ケースに直径方向が位置決めされた文字板ユニットを備え、
前記第１中枠は、前記外装ケースと前記ムーブメントとの厚さ方向の隙間を埋めて前記厚さ方向のがたつきを阻止する厚み部と、前記外装ケースと前記ムーブメントとの直径方向の隙間を前記ムーブメントの下部において埋めて、前記下部における前記直径方向のがたつきを阻止する径大部とを有し、
前記文字板ユニットは、前記ムーブメントの上部に係合して、前記ムーブメントの上部における前記直径方向のがたつきを阻止することを特徴とする請求項１に記載の太陽電池付き電子腕時計。
【請求項３】
前記第２中枠と前記第１中枠の前記厚み部との間に、前記太陽電池を配置させる隙間が形成されていることを特徴とする請求項２に記載の太陽電池付き電子腕時計。
【請求項４】
前記開口が、前記周壁の周方向に沿って並ぶように複数形成されていることを特徴とする請求項１から３のうちいずれか１項に記載の太陽電池付き電子腕時計。
【発明の詳細な説明】
【技術分野】
【０００１】
本発明は、太陽電池付き電子腕時計に関し、詳細には、時計の外装ケースの周壁に形成された開口に太陽電池が臨むように配置されるものの改良に関する。
【背景技術】
【０００２】
従来、太陽電池を内部に備え、光エネルギで動作させる太陽電池付き電子腕時計がある。このような太陽電池付き電子腕時計は、太陽電池が外装ケース上面に平行に配置されている。
【０００３】
しかし、外装ケース上面に平行に太陽電池が配置されたものは、外装ケース上面側が衣類の袖等で覆われると、太陽電池に外光が届かないため、ムーブメントに必要な電力が得られないおそれがある。
【０００４】
そこで、本出願人らは、腕時計の外装ケースの側壁に、外装ケースの全周に亘る開口を形成し、この開口にリング状に形成されたガラスを装着し、さらにこのリング状のガラスの内側に化粧リングを配置し、その内側に、外装ケースの開口に臨むように太陽電池を配した太陽電池付き電子腕時計を提案している（特許文献１）。
【０００５】
この技術によれば、外装ケース上面が衣類の袖で覆われた場合であっても、外装ケースの側壁部に外光が届くときは、その外光は、側壁部に形成された開口に装着されたリング状のガラスおよび化粧リングを通して太陽電池に入射するため、受光効率を高めることができる。
【先行技術文献】
【特許文献】
【０００６】
【特許文献１】特開２０１０−２１０２９５号公報
【発明の概要】
【発明が解決しようとする課題】
【０００７】
ところで、上述した先行技術は、外装ケースの側壁の開口に装着されるリング状のガラスの他に、そのガラスを通して視認される太陽電池の発電領域の色彩等から受ける外観品質面での印象を緩和させる目的で化粧リングを追加しているため、構成部品点数の増加およびそれに伴う製造コストの上昇を招くことになる。
【０００８】
本発明は上記事情に鑑みなされたものであり、外装ケースの側壁の開口に臨むように配置される太陽電池の外観品質面での印象を緩和させるとともに、構成部品点数の直接的な増加や製造コストの上昇を抑制することができる太陽電池付き電子腕時計を提供することを目的とするものである。
【課題を解決するための手段】
【０００９】
本発明に係る太陽電池付き電子腕時計は、外装ケースの内側におけるムーブメントのがたつきを阻止する中枠の一部に、太陽電池に光を透過させる材料で環状に形成されて、化粧リングの機能を兼ねさせることで、全く新規の部品（単独の化粧リング）を追加することなく、太陽電池による外観品質面での印象を緩和させるものである。
【００１０】
すなわち、本発明に係る太陽電池付き電子腕時計は、ムーブメントを収容し、その周壁に、外光を内側に導入する開口が形成された外装ケースと、外装ケースの内側におけるムーブメントのがたつきを阻止する中枠と、外装ケースの内側に、開口に臨んで配置された、ムーブメントの動力源となる太陽電池とを備え、中枠は、第１中枠と、装飾されているとともに太陽電池に光を透過させる材料で環状に形成された、第１中枠に結合した第２中枠とを有し、太陽電池が、第２中枠の内側に配置されていることを特徴とする。
【発明の効果】
【００１１】
本発明に係る太陽電池付き電子腕時計によれば、中枠のうち一部分を化粧リングとして機能する第２中枠とすることで、この第２中枠を通して視認される、外装ケースの側壁の開口に臨むように配置される太陽電池の外観品質面での印象を緩和させるとともに、第２中枠は既存の中枠の一部であるため、構成部品点数の直接的な増加や製造コストの上昇を抑制することができる。
【図面の簡単な説明】
【００１２】
【図１】本発明の本実施形態に係る太陽電池付き電子腕時計を示す斜視図である。
【図２】図１の太陽電池付き電子腕時計の時計本体を示す平面図である。
【図３】外装ケースの詳細を示す図であり、（ａ）は斜視図、（ｂ）は平面図、をそれぞれ表す。
【図４】図２に示した時計本体の分解斜視図である。
【図５】図２におけるＡ−Ａ線に沿った断面を示す図である。
【図６】裏蓋の詳細を示す図であり、（ａ）は斜視図、（ｂ）は平面図、をそれぞれ表す。
【図７】脚部の空洞を示す斜視図である。
【図８】時計本体を６時の方角から１２時の向きに見た側面図である。
【図９】太陽電池の詳細を示す図であり、（ａ）は構成を示す図、（ｂ）は非発電領域を示す模式図、（ｃ）はサブモジュール領域と絶縁体層を示す模式図である。
【図１０】中枠の構成を示す図であり、（ａ）はベース中枠と装飾中枠とが結合した状態、（ｂ）は装飾中枠単体、（ｃ）はベース中枠単体、をそれぞれ表す。
【図１１】飾り板のピンとムーブメントの孔とを示す模式図である。
【発明を実施するための形態】
【００１３】
以下、本発明の太陽電池付き電子腕時計に係る実施形態について、図面を参照して説明する。
【００１４】
図１は、本実施形態に係る太陽電池付き電子腕時計３００（以下、単に腕時計３００という。）を示す斜視図であり、この腕時計３００は、図２に示す時計本体１００と、この時計本体１００の脚部１１１，１１２，１１３，１１４に、軸棒２１０によって取り付けられたバンド２００とからなる。
【００１５】
図２に示した時計本体１００は、金属製の外装ケース１５０の内側に、後述するムーブメント１３０や太陽電池１４０、中枠１２０等が収容され、図４の分解斜視図や図５の断面図（図２におけるＡ−Ａ線に沿った断面を示す図）に示すように、外装ケース１５０の下面側は金属製の裏蓋１１０によって塞がれ、外装ケース１５０の上面側はベゼル１７１および風防ガラス１７２によって塞がれる。
【００１６】
この外装ケース１５０は、図３に示すように、その周壁１５１に、太陽光等の外光を外装ケース１５０の内側に導入する５つの開口１５２ａ，１５２ｂ，１５２ｃ，１５２ｄ，１５２ｅが、その周壁１５１の周方向Ｒに沿って並んで形成されている。
【００１７】
ここで、開口１５２ａと開口１５２ｅとは互いに同じ形状および互いに同じ大きさで形成されていて、開口１５２ｂと開口１５２ｃと開口１５２ｄとは開口１５２ａ，１５２ｅより大きく、互いに同じ形状および互いに同じ大きさで形成されている。
【００１８】
これら開口１５２ａ，１５２ｂ，１５２ｃ，１５２ｄ，１５２ｅは、図３（ａ）の平面図である同図（ｂ）に示すように、時計本体１００の中心Ｃ（時針、分針等の指針の回転中心軸の位置）と時計本体１００の巻真１０１および竜頭１０２（外部操作入力部：角度θ＝０［度］の位置）が配置された３時の方向を結んだ直線に対して、中心Ｃ回りの角度θが、約５〜４０［度］の位置、約５０〜１３０［度］の位置、約１４０〜２２０［度］の位置、約２３０〜３１０［度］の位置、約３２０〜３５５［度］の位置に形成されている。
【００１９】
一方、周壁１５１のうち各開口１５２ａ，１５２ｂ，１５２ｃ，１５２ｄ，１５２ｅの間には、周壁１５１が、上側の環状部分１５４ａと下側の環状部分１５４ｂを繋いだ状態で柱状に残っている。この柱状に残っている部分を、以下、柱状枠部と称し、開口１５２ａ，１５２ｂ間の柱状枠部（θ＝４０［度］〜５０［度］の範囲）を１５３ａ、開口１５２ｂ，１５２ｃ間の柱状枠部（θ＝１３０［度］〜１４０［度］の範囲）を１５３ｂ、開口１５２ｃ，１５２ｄ間の柱状枠部（θ＝２２０［度］〜２３０［度］の範囲）を１５３ｃ、開口１５２ｄ，１５２ｅ間の柱状枠部（θ＝３１０［度］〜３２０［度］の範囲）を１５３ｄ、開口１５２ｅ，１５２ａ間の柱状枠部（θ＝−５［度］（３５５［度］）〜５［度］の範囲）を１５３ｅという。
【００２０】
なお、柱状枠部１５３ｅには、巻真１０１を通過させる貫通孔１５３ｆが形成されている。
【００２１】
これらの各開口１５２ａ，１５２ｂ，１５２ｃ，１５２ｄ，１５２ｅには、図４に示すように、それぞれの開口１５２ａ，１５２ｂ，１５２ｃ，１５２ｄ，１５２ｅを水密に塞ぐ、断面が周壁１５１に沿った光透過性のガラス片１５５ａ，１５５ｂが嵌め込まれている。
【００２２】
一方のガラス片１５５ａは、他方のガラス片１５５ｂよりも小さい大きさであって、相対的に小さい開口１５２ａ，１５２ｅにそれぞれ嵌め込まれ、これに対して、ガラス片１５５ｂは、相対的に大きい開口１５２ｂ，１５２ｃ，１５２ｄに嵌め込まれている。なお、これらガラス片１５５ａ，１５５ｂはいずれもその外周面と各開口１５２ａ，１５２ｂ，１５２ｃ，１５２ｄ，１５２ｅの内周面との間に塗布された接着剤によって開口１５２ａ，１５２ｂ，１５２ｃ，１５２ｄ，１５２ｅに固定されている。
【００２３】
また、各ガラス片１５５ａ，１５５ｂの外周面に蒸着が施されていてもよい。このように蒸着を施したものでは、ガラス片１５５ａ，１５５ｂの内部に入射し、その外周面に到達した光を、その蒸着によって反射させ易くしている。
【００２４】
なお、ガラス片１５５ａ，１５５ｂに代えて、光透過性を有する樹脂製の部材を適用してもよい。
【００２５】
外装ケース１５０の下面側を塞ぐ裏蓋１１０は、図６に示すように、中心部に開口１１５を有する概略円板状の蓋部１１６と、この蓋部１１６の中心Ｃ回りの所定角度位置から外方に向けて立ち上がった４つの脚部１１１，１１２，１１３，１１４とが一体的に形成され、下方から４つのネジ孔１１７にそれぞれ通されたネジ（図示省略）によって、外装ケース１５０に締結固定される。
【００２６】
ここで、各脚部１１１，１１２，１１３，１１４はそれぞれ蓋部１１６の外方に張り出しているが、これら各脚部１１１，１１２，１１３，１１４の張り出しの先端には、中心Ｃの側に向けて延びた延出部１１１′，１１２′，１１３′，１１４′が一体的に形成されている。
【００２７】
これら各延出部１１１′，１１２′，１１３′，１１４′の先端は、この裏蓋１１０が外装ケース１５０の下側の環状部分１５４ｂに固定された状態で、外装ケース１５０の上側の環状部分１５４ａの外周に略接するように形成され、脚部１１１と延出部１１１′とは全体として、鉛直面による断面が略Ｖ字状に形成されている。
【００２８】
他の脚部１１２と延出部１１２′、脚部１１３と延出部１１３′、脚部１１４と延出部１１４′についても同様に、全体として断面が略Ｖ字状に形成されている。
【００２９】
なお、これら各脚部１１１，１１２，１１３，１１４は、前述したようにバンド２００が固定される部分であるが、公知の一般的腕時計においては外装ケースと一体成形されている部分である。
【００３０】
この点、本実施形態の腕時計３００における時計本体１００は、各脚部１１１，１１２，１１３，１１４は、蓋部１１６と一体的に形成されているため、各脚部１１１，１１２，１１３，１１４から、外装ケース１５０の上側の環状部分１５４ａの外周に略接する延出部１１１′，１１２′，１１３′，１１４′が形成されていることにより、公知の一般的な腕時計の脚部と類似した外観を得ている。
【００３１】
各脚部１１１，１１２，１１３，１１４およびそれらにそれぞれ対応した各延出部１１１′，１１２′，１１３′，１１４′は、上述したようにその断面が略Ｖ字状に形成されているため、時計本体１００として組み立てられた状態においては、図７に示すように、内部が周方向Ｒに沿って貫通した空洞１１８を有するものとして形成された構造となっている。
【００３２】
なお、図７では、脚部１１４および延出部１１４′を記載したが、脚部１１１および延出部１１１′、脚部１１２および延出部１１２′、脚部１１３および延出部１１３′についても脚部１１４および延出部１１４′と同様に、内部が、周方向Ｒに沿って貫通した空洞１１８と同様の空洞を有するものとして形成された構造となっている。
【００３３】
また、時計本体１００を６時の方角から１２時の向きに見た図８に示すように、脚部１１３の、脚部１１４に向いた面の下部と、脚部１１４の、脚部１１３に向いた面の下部とには、それぞれバンド２００の軸棒２１０の端部を挿入してバンド２００を連結させる軸孔１１３ａ，１１４ａ（連結部）が形成されているが、これらの軸孔１１３ａ，１１４ａは、バンド２００が軸棒２１０によって脚部１１３，１１４間に取り付けられた状態において、バンド２００の上面２００ａが、開口１５２ｄの下縁１５２Ｄよりも下方に位置するように形成されている。
【００３４】
図示は略したが、時計本体１００を１２時の方角から６時の向きに見たときの、脚部１１１の、脚部１１２に向いた面の下部と、脚部１１２の、脚部１１１に向いた面の下部とにも、軸孔１１３ａ，１１４ａと同様の軸孔（連結部）が形成されていて、これらの軸孔にバンド２００の軸棒２１０の端部を挿入することでバンド２００が連結される。
【００３５】
そして、これらの軸孔も、バンド２００が軸棒２１０によって脚部１１１，１１２間に取り付けられた状態において、バンド２００の上面２００ａが、開口１５２ｂの下縁よりも下方に位置するように形成されている。
【００３６】
なお、脚部１１１，１１２，１１３，１１４の、外装ケース１５０側における根元部分と、延出部１１１′，１１２′，１１３′，１１４′の、外装ケース１５０側における先端部分は、図６（ｂ）に示すように、時計本体１００の中心Ｃと時計本体１００の巻真１０１が配置された３時の方向を結んだ直線に対して、中心Ｃ回りの角度θが、約３７〜６０［度］の位置、約１２０〜１４３［度］の位置、約２１７〜２４０［度］の位置、約３００〜３２３［度］の位置に形成されている。
【００３７】
時計本体１００の構造は、図４の分解斜視図および図５の断面図に示す通り、外装ケース１５０の内部には、ムーブメント１３０およびそのムーブメント１３０の動力源となる太陽電池１４０が収容されている。
【００３８】
太陽電池１４０は、図９に示すように、厚さの薄い帯状の基板１４１上に発電領域１４２が形成されていて、この帯状の太陽電池１４０が同図に示した環状に丸められた状態で、かつ発電領域１４２が外装ケース１５０の開口１５２ａ，１５２ｂ，１５２ｃ，１５２ｄ，１５２ｅに臨むように配置されている。
【００３９】
なお、太陽電池１４０の、帯状の一方の端部近傍には、ムーブメント１３０と電気的に接続するための端子１４３が接続されている。
【００４０】
また、この太陽電池１４０は、図９（ｂ）に示す丸められた状態で、他方の端部の非発電領域１４５が単一の発電領域１４２に重なるため、その周方向Ｒの全周に亘って途切れなく発電領域１４２が臨んでいるのではなく、その非発電領域１４５が重なっている部分で途切れている。
【００４１】
そして、外装ケース１５０の柱状枠部１５３ａ，…，１５３ｅのうちいずれかが、この太陽電池１４０の非発電領域１４５に対応する角度位置（時計本体１００の中心Ｃと時計本体１００の巻真１０１および竜頭１０２が配置された３時の方向を結んだ直線に対して、中心Ｃ回りの角度θの位置）に一致している。
【００４２】
ムーブメント１３０の上方には、図４に示すように、下文字板１６１、月齢表示板１６２、上文字板１６３および飾り板１６４を有する文字板ユニット１６０が配置されている。
【００４３】
また、外装ケース１５０の内部には、ムーブメント１３０が外装ケース１５０の内部で不用意に動いてがたつくのを阻止するために、ムーブメント１３０と外装ケース１５０との間には、図４，１０に示すように、これらムーブメント１３０と外装ケース１５０との間の隙間を埋める中枠１２０が備えられている。
【００４４】
この中枠１２０は、環状で時計本体１００の厚さ方向に盛り上がりが形成された第１中枠１２１（図１０（ｃ）参照：以下、ベース中枠１２１という。）と、ベース中枠１２１の外周縁近傍に略沿って底辺が形成された短円筒状または円錐台の斜面状等環状の第２中枠１２２（図１０（ｂ）：以下、装飾中枠１２２という。）とからなり、ベース中枠１２１および装飾中枠１２２はいずれも樹脂によって軽量に形成されている。
【００４５】
装飾中枠１２２は、太陽光等の外光を透過しうる光透過性の材料で形成されており、その外周面には、時計本体１００の厚さ方向に沿って延びる溝と条とが周方向に沿って交互に形成されていて、これらの溝や条は、図７，８，１０に示すように、時計本体１００の外部から各ガラス片１５５ａ，１５５ｂを通してみたとき、全体として凹凸模様の装飾として視認しうるものとなっている。
【００４６】
なお、装飾中枠１２２における、時計本体１００の３時に対応する部分には、竜頭１０２の巻真１０１を貫通させるための孔１２２ｃが形成されている。
【００４７】
また、装飾中枠１２２の少なくとも視認する側の面には蒸着が施されていて、視認する側から太陽電池１４０を見えにくくし、外観品質の向上に役立っている。さらに、ベース中枠１２１にも同様の蒸着が施されたものでは、視認する側から太陽電池１４０を一層視認しにくくすることができる。
【００４８】
一方、ベース中枠１２１は、直径方向に幅を有した環状の底板１２１ｂ（径大部）と、その底板１２１ｂから上方に延びた底上げ壁１２１ａ（厚み部）とが一体的に形成されている。
【００４９】
底板１２１ｂは、図５に示すように、その外周縁１２１ｈが外装ケース１５０の下側の環状部分１５４ｂの内周面１５４ｃに直径方向内側から突き当てられていて、ベース中枠１２１が外装ケース１５０に対して直径方向にがたつくのを阻止している。
【００５０】
また、底上げ壁１２１ａは内周側の内側壁部１２１ｉとこの内側壁部１２１ｉの外側に形成された外側壁部１２１ｊとからなり、外側壁部１２１ｊは内側壁部１２１ｉよりも高く形成されている。なお、外側壁部１２１ｊの、時計本体１００の３時に対応する部分には、巻真１０１を通過させるための溝１２１ｃが形成されている。
【００５１】
そして、図５に示すように、内側壁部１２１ｉの上面１２１ｍは、ムーブメント１３０の下面１３１ａが載置され、外側壁部１２１ｊの上面１２１ｎは、ムーブメント１３０の下面１３１ａに平行で段違いの中間面１３１ｂが載置されるように形成されている。
【００５２】
また、外側壁部１２１ｊの内周面１２１ｋは、ムーブメント１３０の下面１３１ａと中間面１３１ｂとを繋ぐ中間側面１３１ｃが接するように形成されている。
【００５３】
さらに、底上げ壁１２１ａおよび底板１２１ｂの下面１２１ｐは、時計本体１００として組み立てられた状態で図５に示すように、裏蓋の内面１１０ａに接する部分となる。
【００５４】
この結果、ベース中枠１２１に載置されたムーブメント１３０は、ベース中枠１２１に対して直径方向にがたつくことがなく、ベース中枠１２１は外装ケース１５０に対して、その直径方向にがたつくことがないため、ベース中枠１２１は、ムーブメント１３０が外装ケース１５０に対して直径方向にがたつくのを阻止している。
【００５５】
ただし、ベース中枠１２１の底上げ壁１２１ａは、ムーブメント１３０の下側部分のみと接しているため、ムーブメント１３０の下側部分については、直径方向のがたつきが規制されているが、ムーブメント１３０の上側部分については、ベース中枠１２１によって直径方向のがたつきを十分に抑えることはできない可能性がある。
【００５６】
ここで、本実施形態においては、図４に示すようにムーブメント１３０の上方に配設された文字板ユニット１６０の飾り板１６４が、外装ケース１５０の上側の環状部分１５４ａの上面に載置されることで、文字板ユニット１６０の全体が厚さ方向に関して位置決めされるとともに、飾り板１６４の裏面側に突出した折曲部１６４ｃが、外装ケース１５０の上側の環状部分１５４ａの内周面１５４ｄに内側から接することで、文字板ユニット１６０の全体が直径方向に関しても位置決めされる。
【００５７】
そして、ムーブメント１３０は、その上面が文字板ユニット１６０の下面に接することで上方への動きが規制され、一方、ベース中枠１２１によって下方への動きが規制されて、結果的に、ムーブメント１３０は文字板ユニット１６０とベース中枠１２１とによって鋏まれた状態となって、厚さ方向にがたつくことがない。
【００５８】
また、飾り板１６４の下面には、図１１に示すように下方に突出した２つのピン１６４ａ，１６４ｂが形成されていて、これらの各ピン１６４ａ，１６４ｂが、ムーブメント１３０の上面に形成された２つの位置決め孔１３２ａ，１３２ｂにそれぞれ係合し、これによって、ムーブメント１３０は、その上部において、飾り板１６４を介して外装ケース１５０に対し、直径方向のがたつきが規制される。
【００５９】
つまり、ムーブメント１３０は、下側部分はベース中枠１２１によって直径方向のがたつきが十分に阻止され、上側部分は文字板ユニット１６０（特に、飾り板１６４）によって直径方向のがたつきが十分に阻止されて、ムーブメント１３０の全体として外装ケース１５０に対する直径方向へのがたつきが十分に阻止されている。
【００６０】
なお、ベース中枠１２１は装飾中枠１２２とは異なり、光透過性を有するものである必要はなく、したがって、従来用いられている中枠と同種の、光透過性を有しない材料によって形成されていれば足りる。
【００６１】
また、ベース中枠１２１の底板１２１ｂの外周縁近傍であって、時計本体１００の３時の方向、１２時の方向、９時の方向、６時の方向にはそれぞれ、嵌合孔１２１ｄ，１２ｅ，１２ｆ，１２１ｇが形成されていて、装飾中枠１２２の下面であって、太陽電池付き電子腕時計本体１００の３時の方向、１２時の方向、９時の方向、６時の方向にそれぞれ形成された突起１２２ｄ，１２２ｅ，１２２ｆ，１２２ｇをそれぞれ対応する嵌合孔１２１ｄ〜１２１ｇに嵌合して結合させることにより、これらベース中枠１２１と装飾中枠１２２とは全体として単一の中枠１２０として構成される。
【００６２】
そして、装飾中枠１２２の内周面１２２ｂとベース中枠１２１の外側壁部１２１ｊの外周面１２１ｑとの間に形成された隙間に、図５に示すように、環状に丸められた太陽電池１４０が配置される。
【００６３】
このとき、太陽電池１４０は、発電領域１４２が装飾中枠１２２の内周面１２２ｂに接するように配置されることで、発電領域１４２がいずれかの開口１５２ａ，１５２ｂ，１５２ｃ，１５２ｄ，１５２ｅに臨んだ状態となり、ガラス片１５５ａまたはガラス片１５５ｂと装飾中枠１２２とを透過した外光が入射される。
【００６４】
なお、裏蓋１１０に形成された開口１１５は、ブランド名やシリアル番号等の記号、絵柄等が刻印された銘板栓１７３が嵌め合わされることによって塞がれている。
【００６５】
以上のように構成された本実施形態の腕時計３００によれば、外装ケース１５０の内側には、この外装ケース１５０の周壁１５１に形成された５つの開口１５２ａ〜１５２ｅに臨む太陽電池１４０が配置されているため、太陽電池１４０には、外装ケース１５０の周壁１５１の開口１５２ａ〜１５２ｅおよび装飾中枠１２２を通じて太陽光等の外光が照射し、これによって太陽電池１４０が光起電力を発生し、この光起電力によって発生した電力をムーブメント１３０に供給することで、ムーブメント１３０を動作させ、本実施形態の腕時計３００を動作させることができる。
【００６６】
また、中枠１２０の一部を装飾中枠１２２とすることで、この装飾中枠１２２を従来における化粧リングとして機能させることができ、装飾中枠１２２の外周面に形成された凹凸模様が、その内側に配置された太陽電池１４０の濃紫色の色や輪郭等を緩和させて視認させることができるため、外観品質を向上させることができる。
【００６７】
しかも、この装飾中枠１２２は製造段階ではベース中枠１２１と別体に生成することができるため、ベース中枠１２１とは異なる材料で形成することができ、これによって装飾中枠１２２にだけ光透過性の特性を与えることができる。
【００６８】
さらに、ベース中枠１２１も光透過性材料で生成することにより、装飾中枠１２２とベース中枠１２１を製造段階から単一の構成とすることも可能ではあるが、複雑な凹凸形状を含むものとなるため、製造に用いられる型の構造が複雑になるとともに、中枠１２０全体を光透過性材料で生成した場合の材料費が上昇し、中枠１２０自体の製造コストが上昇することが考えられる。
【００６９】
しかし、本実施形態では、中枠１２０の製造時点においては、ベース中枠１２１と装飾中枠１２２との２体構造としたことで、製造の容易化と製造コストの抑制を図ることができる。
【００７０】
一方、ベース中枠１２１と装飾中枠１２２とは、製造後は結合して一体化され、単一の中枠１２０として取り扱うことができるため、新規な部品となる化粧リングを備える必要がない。
【００７１】
また、ベース中枠１２１と装飾中枠１２２とは結合しているため、両者の相対的な動きを防止することができる。
【００７２】
さらに、装飾中枠１２２の内周面１２２ｂとベース中枠１２１の外側壁部１２１ｊの外周面１２１ｑとの間の隙間を、太陽電池１４０の厚さと略同等の距離に設定しておくことにより、太陽電池付き電子腕時計本体１００が揺らされた場合にも、その隙間に配置された太陽電池１４０がその隙間の範囲で不用意に動くのを防止することができる。
【００７３】
また、柱状枠部１５３ａ〜１５３ｅが外装ケース１５０の厚さ方向に作用する圧縮荷重等に抗する抗力部分となる。
【００７４】
したがって、先行技術のように、周壁の周方向の全周に亘って繋がった開口を有するものに比べて、本実施形態の腕時計３００は、外装ケース１５０が柱状枠部１５３ａ〜１５３ｅを有することで、外装ケース１５０の強度を向上させることができる。
【００７５】
また、その外装ケース１５０の開口１５２ａ〜１５２ｅは、光透過性を有するガラス片１５５ａ，１５５ｂによって塞がれているが、先行技術において備えられた単一の短筒状または環状のガラス環のような周方向Ｒに繋がったものである必要がないため、短筒状または環状のガラス等よりも容易に成形することができる。
【００７６】
柱状枠部１５３ａ〜１５３ｅは、外装ケース１５０のうち開口１５２ａ〜１５２ｅ間に存在する周壁１５１の残部であるため、外部から目立たない位置に配置するのが好ましいところ、柱状枠部１５３ａ〜１５３ｄは脚部１１１，１１２，１１３，１１４の、外装ケース１５０側における根元部分に対応した角度位置および延出部１１１′，１１２′，１１３′，１１４′の、外装ケース１５０側における先端部分に対応した角度位置に形成されているため、これら柱状枠部１５３ａ〜１５３ｄが、脚部１１１，１１２，１１３，１１４や延出部１１１′，１１２′，１１３′，１１４′に隠れる状態となり、外部からは目立ちにくく、外観品質の向上に資することができる。
【００７７】
また、各脚部１１１，１１２，１１３，１１４の根元部分と、それらに対応する各延出部１１１′，１１２′，１１３′，１１４′の先端部分とを繋ぐ範囲は、そもそも外光が入射しにくい部位でもあり、そこに、外光を遮光する柱状部分１５３ａ〜１５３ｄが形成されていても、太陽電池１４０に入射する外光の光量が大幅に低下することがない。
【００７８】
さらに、柱状枠部１５３ｅは、竜頭１０２によってある程度覆い隠されるため、外部からは目立ちにくく、外観品質の向上に資することができる。
【００７９】
また、竜頭１０２に連結された巻真１０１は、外装ケース１５０の内外を貫通するが、柱状枠部１５３ｅが巻真１０１の角度位置に対応して形成されていることで、巻真１０１を、柱状枠部１５３ｅ（柱状枠部１５３ｅに形成された貫通孔１５３ｆ）を通過させることができ、巻真１０１を、ガラス環を通過させる先行技術よりも、その通過部分の摩耗等を抑制して外装ケース１５０の内外間の水密性が低下するのを防止することもできる。
【００８０】
本実施形態の腕時計３００は、各脚部１１１〜１１４と各延出部１１１′〜１１４′とからなる部分は略Ｖ字状の輪郭形状であり、各脚部１１１〜１１４と各延出部１１１′〜１１４′との間は空洞１１８であるため、外光が外装ケース１５０の外周面の接線方向に進む成分を有するとき、その外光の成分は、各空洞１１８を通って外装ケース１５０の開口１５２ａ〜１５２ｅから太陽電池１４０に入射するため、空洞１１８が形成されていないものよりも、太陽電池１４０による受光光量を増大させることができる。
【００８１】
また、本実施形態の腕時計３００は、脚部１１３，１１４の軸孔１１３ａ，１１４ａが開口１５２ｄの下縁１５２Ｄよりも下方に位置するように形成されていて、同様に、脚部１１１，１１２の軸孔も開口１５２ｂの下縁よりも下方に位置するように形成されていることで、これらの軸孔に取り付けられた軸棒２１０によってバンド２００が取り付けられた状態であっても、バンド２００がこれらの開口１５２ｂ，１５２ｄを塞ぐことがなく、これらの脚部１１１，１１２間の開口１５２ｂおよび脚部１１３，１１４間の開口１５２ｄからも、外光を太陽電池１４０に入射させることができ、外光の受光量を向上させることができる。
【００８２】
さらに、本実施形態の腕時計３００は、柱状枠部１５３ａ〜１５３ｅのいずれかが、丸められた太陽電池１４０の非発電領域１４５に対応する角度位置に形成されているため、太陽電池１４０の非発電領域１４５がいずれかの柱状枠部１５３ａ〜１５３ｅの背面側に隠されることにより、非発電領域１４５の存在を目立ち難いものとして、外観品質を向上させることができる。
【００８３】
なお、太陽電池１４０としては、例えば図９（ｃ）に示すように、その発電領域１４２が、丸められた周方向Ｒに沿って複数のサブモジュール領域（例えば５つのサブモジュール領域１４２ａ，１４２ｂ，…，１４２ｅ）を並べて繋いだものも適用することができ、この形態の太陽電池１４０の場合、サブモジュール領域１４２ａ，１４２ｂ間、サブモジュール領域１４２ｂ，１４２ｃ間、サブモジュール領域１４２ｃ，１４２ｄ間、サブモジュール領域１４２ｄ，１４２ｅ間、サブモジュール領域１４２ｅ，１４２ａ間には、それぞれ絶縁体層１４６が形成される。
【００８４】
そして、この太陽電池１４０の各絶縁体層１４６が、外装ケース１５０の柱状枠部１５３ａ，…，１５３ｅに対応する角度位置（時計本体１００の中心Ｃと時計本体１００の巻真１０１および竜頭１０２が配置された３時の方向を結んだ直線に対して、中心Ｃ回りの角度θの位置）に一致するように、各サブモジュール領域１４２ａ，１４２ｂ，…，１４２ｅの長さ等を設定することにより、太陽電池１４０の非発電領域１４５の目立ちやすい輪郭形状が柱状枠部１５３ａ〜１５３ｅの背面側に隠され、非発電領域１４５の存在を目立ち難いものとして外観品質を向上させることができる。
【００８５】
本実施形態の腕時計３００において、バンド２００が、時計本体１００の側面（外装ケース１５０の周壁１５１の面）を上に向けて置かせる構成（例えば、バンド２００の剛性が比較的強く、円環に近い形状を維持し、さらにバンド２００の幅方向の中央部などが凸状に盛り上がった断面形状を有するものなど）であると、この腕時計３００を使用者の腕から外した状態のとき、腕時計３００は時計本体１００の側面を上に向けた状態で、テーブル等の上に置かれる。
【００８６】
そして、使用者が特段の注意を払わなくても、そのバンド２００の構成によって、時計本体１００の側面が上に向くため、そのように置かれた状態で太陽電池１４０に入射する外光の量を増大させることができる。
【００８７】
また、バンド２００を、白色など反射率が高い色彩のものや反射率を高める材料でコーティングすることで、バンド２００で反射した外光も太陽電池１４０に入射させることができ、太陽電池１４０への入射光量を増大させることができる。
【００８８】
このようにバンド２００で反射した外光は、時計本体１００の風防ガラス１７２の側まで回り込むことは無いため、バンド２００で反射した外光が文字板ユニット１６０の面と平行に配されていた従来の太陽電池には入射せず、バンド２００での外光反射量を増大させるメリットは無いが、時計本体１００の側面に形成された開口１５２ａ，１５２ｂ，１５２ｃ，１５２ｄ，１５２ｅから太陽電池１４０に外光を導く本実施形態においては、バンド２００で反射した外光も太陽電池１４０に入射するため、バンド２００を外光の反射率の高いものとするメリットが大きい。
【００８９】
また、裏蓋１１０に形成されたネジ孔１１７は、外装ケース１５０の４つの柱状枠部１５３ａ，１５３ｂ，１５３ｃ，１５３ｄが形成された角度位置に対応した角度位置に形成されているため、これらのネジ孔１１７を通して下方から通されたネジは、外装ケース１５０の下側の環状部分１５４ｂの厚さを超えて柱状枠部１５３ａ，１５３ｂ，１５３ｃ，１５３ｄに締め付けることができため、ネジの締結代を長く確保することができ、裏蓋１１０を外装ケース１５０に確実に締結することができる。
【００９０】
なお、裏蓋１１０を外装ケース１５０に対して、周方向Ｒに固定しないで両者が周方向Ｒに相対的に回転可能に連結された構造としてもよい。
【００９１】
裏蓋１１０を外装ケース１５０に対して周方向Ｒに回転させることで、脚部１１１〜１１４および延出部１１１′〜１１４′の位置と開口１５２ａ〜１５２ｅの位置との相対的な位置関係を、外光の入射方向に応じて変化させることができる。この腕時計３００を腕から外してテーブル等に置いている状態のときは、裏蓋１１０に形成された脚部１１１〜１１４および延出部１１１′〜１１４′に取り付けられたバンド２００の向きと、外装ケース１５０の内部に配置されたムーブメント１３０および文字板ユニット１６０の向きとが、特定の向き（バンド２００の延びる方向が、文字板ユニット１６０の６時と１２時とを結んで延びる方向）に一致していなくても、特段の問題はないため、太陽電池１４０に外光が多く入射するように、裏蓋１１０を外装ケース１５０に対して周方向Ｒに回転させることで、置いている状態での受光効率を高める意義がある。
【００９２】
本実施形態の腕時計３００において、裏蓋１１０の開口１１５を塞いでいる銘板栓１７３が、図５に示すように、ムーブメント１３０の下面に近接するだけの厚さを有している。
【００９３】
これは、外装ケース１５０の周壁１５１の開口１５２ａ〜１５２ｅに面するように、太陽電池１４０が立てられた姿勢で配設されているため、時計本体１００の厚さは比較的厚くなるのに対して、ムーブメント１３０の厚さは太陽電池１４０の姿勢に対応して厚くなるものではないため、外装ケース１５０の厚さに比べてムーブメント１３０の厚さがかなり薄くなり、時計本体１００の厚さ方向について、両者間には比較的大きな隙間が形成される。
【００９４】
この厚さ方向の隙間は、第１中枠１２１の厚さを厚くすることで埋めることもできるが、ムーブメント１３０の下面は中枠で塞がれない構造とするのが、ムーブメント１３０へのアクセス性の面で好ましい。
【００９５】
そこで、本実施形態の腕時計３００は、銘板栓１７３の厚さを厚くしてムーブメント１３０の下面に接する程度まで近接させて隙間を埋め、ムーブメント１３０へのアクセス性を確保している。
【００９６】
なお、この銘板栓１７３を中実のものとすることで、時計本体１００の重量バランスは、銘板栓１７３が備えられた下側の方がかなり重くなる。
【００９７】
このため、腕時計３００が落下した場合であっても、腕時計３００は、重量の重い下側を下にして落下するため、上側の風防ガラス１７２が落下によって損傷するのを防止することができる。
【符号の説明】
【００９８】
１００    時計本体
１２０    中枠
１２１    ベース中枠（第１中枠）
１２１ｄ，１２１ｅ，１２１ｆ，１２１ｇ  嵌合孔
１２２    装飾中枠（第２中枠）
１２２ｄ，１２２ｅ，１２２ｆ，１２２ｇ  突起
１３０    ムーブメント
１４０    太陽電池
１５０    外装ケース
１６０    文字板ユニット
３００    太陽電池付き電子腕時計
Ｒ        周方向
【図１】
2012198029.tif 000003
【図２】
2012198029.tif 000004
【図３】
2012198029.tif 000005
【図４】
2012198029.tif 000006
【図５】
2012198029.tif 000007
【図６】
2012198029.tif 000008
【図７】
2012198029.tif 000009
【図８】
2012198029.tif 000010
【図９】
2012198029.tif 000011
【図１０】
2012198029.tif 000012
【図１１】
2012198029.tif 000013